(57)【要約】【課題】装置が省エネのためにスタンバイモード中であっても、レリーズ釦等の釦操作により静止画を記録できる記録再生装置を提供する。【解決手段】音声入力部５により入力された音声はＤＳＰ６を介してメモリ８に記録される。メモリ８に記録された音声は音声出力部１０により再生される。カメラ部１４は被写体を撮影し、該被写体の静止画データをメモリ８に記録する。モード遷移制御手段２は、記録再生装置の動作が停止し、該停止状態が所定時間継続した場合、スイッチ１５をオフとし記録再生装置の各部に対する電源供給を部分的に停止し、該装置の動作モードをスタンバイモードに設定する。スタンバイモード中、操作部１の何れかの釦が押下されるとスイッチ１５はオンされ、スタンバイモード中に停止していた電源供給が再開され、押下された釦に対応する静止画記録等の処理が実行される。【選択図】　　図１
2004064324.tif 000002
【特許請求の範囲】
【請求項１】
情報を記録及び再生する記録再生装置において、
情報を記録媒体に記録する記録手段と、
前記記録媒体に記録された情報を再生する再生手段と、
前記記録手段及び再生手段を操作するための各種釦を有する操作部と、
前記記録再生装置の動作が停止した場合、該停止状態が所定時間継続したか判断する判断手段と、
前記操作部において操作された釦に応じて、前記記録再生装置の動作モードを設定し、前記停止状態が所定時間継続した場合、前記記録再生装置の各部に対する電源供給を部分的に停止し、該装置の動作モードをスタンバイモードに設定するモード設定手段と、
前記モード設定手段により決定される動作モードに関わらず、前記記録再生装置の一部へ電源を供給する第１の電源供給手段と、
前記スタンバイモード中、前記操作部の何れかの釦が操作されたことを検知する検知手段と、
前記検知手段により、前記操作部の何れかの釦が操作されたことが検知された場合、前記スタンバイモード中に停止されていた電源供給を再開する第２の電源供給手段と、
前記スタンバイモード中に操作された釦に対応する処理を、前記記録手段又は再生手段を用いて実行する実行手段と、
を具備することを特徴とする記録再生装置。
【請求項２】
前記記録媒体は半導体メモリであることを特徴とする請求項１記載の記録再生装置。
【請求項３】
前記記録媒体は着脱可能なメモリカードであることを特徴とする請求項１記載の記録再生装置。
【請求項４】
前記データは音声データまたは静止画像または動画像であることを特徴とする請求項１乃至３のいずれか１項に記載の記録再生装置。
【請求項５】
音声を記録及び再生し、被写体画像を記録する記録再生装置において、
音声を音声データに変換して記録媒体に記録し、該記録媒体に記録された音声データを再生する音声記録再生手段と、
被写体を撮影し、該被写体の静止画データを前記記録媒体に記録するカメラ部と、
前記音声記録再生手段及び前記カメラ部を操作するための各種釦を有する操作部と、
前記音声記録再生手段及びカメラ部の動作が停止し、該停止状態が所定時間継続したか判断する判断手段と、
前記操作部１において操作された釦に応じて、前記記録再生装置の動作モードを設定し、前記停止状態が所定時間継続した場合、前記記録再生装置の各部に対する電源供給を部分的に停止し、該装置の動作モードをスタンバイモードに設定するモード設定手段と、
前記モード設定手段により決定される動作モードに関わらず、少なくとも前記操作部及びモード設定手段に電源を供給する第１の電源供給手段と、
前記スタンバイモード中、前記操作部の何れかの釦が操作されたことを検知する検知手段と、
前記検知手段により、前記操作部の何れかの釦が操作されたことが検知された場合、前記スタンバイモード中に停止されていた電源供給を再開する第２の電源供給手段と、
前記スタンバイモード中に操作された釦に対応する処理を、前記音声記録再生手段又はカメラ部を用いて実行する実行手段と、
を具備することを特徴とする記録再生装置。
【請求項６】
前記第１の電源供給手段は、更に前記カメラ部に電源を供給する手段を有することを特徴とする請求項１記載の記録再生装置。
【請求項７】
音声記録再生装置と、被写体を撮影するカメラ部とを含み、該カメラ部は前記音声記録再生部とは別体構造を有する記録再生システムにおける前記音声記録再生装置であって、
音声を音声データに変換して記録媒体に記録し、該記録媒体に記録された音声データを再生する音声記録再生手段と、
前記記録再生装置を操作するための各種釦を有する操作部と、
前記音声記録再生手段及びカメラ部の動作が停止し、該停止状態が所定時間継続したか判断する判断手段と、
前記操作部１において操作された釦に応じて、前記記録再生装置の動作モードを設定し、前記停止状態が所定時間継続した場合、前記記録再生装置の各部に対する電源供給を部分的に停止し、該装置の動作モードをスタンバイモードに設定するモード設定手段と、
前記モード設定手段により決定された動作モードに関わらず、少なくとも前記操作部及びモード設定手段に電源を供給する第１の電源供給手段と、
前記スタンバイモード中、前記操作部の何れかの釦が操作されたことを検知する検知手段と、
前記検知手段により、前記操作部の何れかの釦が操作されたことが検知された場合、前記スタンバイモード中に停止されていた電源供給を再開する第２の電源供給手段と、
前記スタンバイモード中に操作された釦に対応する処理を実行する実行手段と、
を具備することを特徴とする音声記録再生装置。
【請求項８】
前記第１の電源供給手段は、更に前記カメラ部に電源を供給する手段を有することを特徴とする請求項１記載の記録再生装置。
【請求項９】
音声記録再生装置と、該音声記録再生装置に接続され被写体を撮影するカメラ装置とを含み、該カメラ装置は前記音声記録再生部とは別体構造を有する記録再生システムにおける前記カメラ装置であって、
被写体を撮影し、該被写体の静止画データを提供する撮影手段と、
前記記録再生システムの動作モードに応じて前記撮影手段に電源を供給するための第１の電源ラインと、
前記被写体の撮影タイミングを決定する静止画記録釦と
前記記録再生システムの動作モードに関わらず、前記静止画記録釦に電源を供給するための第２の電源ラインと、
を具備することを特徴とするカメラ装置。
【請求項１０】
音声記録再生部と、被写体の静止画を記録するカメラ部を有する記録再生装置における記録再生方法であって、
前記カメラ部の静止画記録釦を含む各種操作釦を有する操作部１において操作された釦に応じて、前記記録再生装置の動作モードを決定するステップと、
前記音声記録再生部及びカメラ部の動作が停止し、該停止状態が所定時間継続したか判断するステップと、
停止状態が所定時間継続した場合、前記記録再生装置の各部に対する電源供給を部分的に停止し、該装置の動作モードをスタンバイモードに設定するステップと、
前記スタンバイモード中、前記操作部の何れかの釦が操作されたことを検知するステップと、
前記操作部の何れかの釦が操作された場合、前記スタンバイモード中に停止されていた電源供給を再開するステップと、
前記スタンバイモード中に操作された釦に対応する処理を実行するステップと、
を具備することを特徴とする記録再生方法。
【発明の詳細な説明】
【０００１】
【発明の属する技術分野】
この発明は記録媒体に対して音声、画像等のデジタルデータを記録再生する記録再生装置に関する。
【０００２】
【従来の技術】
従来、記録媒体に固体メモリを使用した音声録音再生装置（以下メモリレコーダ）において、主に電池で駆動するメモリーレコーダでは、省エネのためユーザーの未操作が３分間続くと、自動的にスタンバイモードになりセットの消費電流を低減させる。
【０００３】
スタンバイモードからは、録音釦操作で録音モードになり録音が開始される。または再生釦操作で再生モードになり再生が開始される。または、停止釦操作で停止モードになり動作が停止する。
【０００４】
また、このメモリーレコーダに着脱式のカメラモジュールを接続し、静止画像が撮影できる装置もある。
【０００５】
【発明が解決しようとする課題】
上記カメラモジュールを接続して静止画像を記録できるようなメモリーレコーダでは、スタンバイモード中に静止画記録ができない。スタンバイモード中に静止画記録したい場合は、停止釦操作で一度メモリーレコーダを停止モードにして電源を投入し、それからカメラモジュール上のレリーズ（シャッター）釦操作で静止画を記録しなくてはならず、シャッターチャンスを逃す恐れがあるという問題があった。
【０００６】
従って本発明は従来例の問題に鑑み、メモリレコーダがスタンバイモード中でも、レリーズ釦等の釦操作により静止画あるいは動画記録ができる記録再生装置を提供することを目的とする。
【０００７】
【課題を解決するための手段】
上記目的を達成するために本発明の一実施形態に係る記録再生装置は、情報を記録媒体に記録する記録手段と、前記記録媒体に記録された情報を再生する再生手段と、前記記録手段及び再生手段を操作するための各種釦を有する操作部と、前記記録再生装置の動作が停止した場合、該停止状態が所定時間継続したか判断する判断手段と、前記操作部において操作された釦に応じて、前記記録再生装置の動作モードを設定し、前記停止状態が所定時間継続した場合、前記記録再生装置の各部に対する電源供給を部分的に停止し、該装置の動作モードをスタンバイモードに設定するモード設定手段と、前記モード設定手段により決定される動作モードに関わらず、前記記録再生装置の一部へ電源を供給する第１の電源供給手段１２と、前記スタンバイモード中、前記操作部の何れかの釦が操作されたことを検知する検知手段と、前記検知手段により、前記操作部の何れかの釦が操作されたことが検知された場合、前記スタンバイモード中に停止されていた電源供給を再開する第２の電源供給手段と、前記スタンバイモード中に操作された釦に対応する処理を、前記記録手段又は再生手段を用いて実行する実行手段とを具備する。
【０００８】
【発明の実施の形態】
図面を参照しながら本発明の実施の形態について詳細に説明する。以下に示す説明はこの発明の実施の形態であって、この発明の装置及び方法を限定するものではない。
【０００９】
図１は本発明による記録再生装置の一実施形態の構成を示すブロック図である。ここではフラッシュメモリを記録媒体とする記録再生装置の構成を示した。この記録再生装置は、操作部１と、モード遷移制御手段２と、表示部３と、表示制御部４と、音声入力部５と、ＤＳＰ６と、ＤＳＰ制御手段７と、メモリ８と、メモリ制御手段９と、音声出力部１０と、カメラ制御手段１１と、電源回路部１２と、バッテリー１３と、カメラ部１４を具備した構成にとなっている。
【００１０】
電源回路１２は、バッテリ１３から所定の電源電圧Ｖｃｃ１を生成する。電源回路１２は電源レギュレータとして機能し、バッテリー１３の出力電圧が電力消費により低下しても、常に一定電圧を生成する。
【００１１】
各部の動作が停止し、操作部１の各ボタンの未操作の時間が一定時間続くと、バッテリ１３の省エネのため、モード遷移制御手段２はスイッチ１５をオフして各回路への電源電圧Ｖｃｃ２の供給を止め、装置はスタンバイモードになる。スタンバイモード中は、操作部１、モード遷移制御手段２、及びカメラ部１４に電源電圧Ｖｃｃ１が供給される。このスタンバイモード中、操作部１の何れかの釦が押されると、モード遷移制御手段２はそれを検出しスイッチ１５をオンし、電源回路１２の出力電圧がスイッチ１５を介して各回路へ供給される。スイッチ１５を介して供給される電源電圧をここではＶｃｃ２とする。従ってスイッチ１５を介した電源電圧Ｖｃｃ２は、操作部１、モード遷移制御手段２、及びカメラ部１４以外の全回路ブロックに供給される。
【００１２】
操作部１は、再生釦２１と、記録釦２２と、停止釦２３と、静止画記録（シャッター）釦２４を含む各種操作釦を有している。この操作部１は何れかの釦がユーザにより押下されると、押下された釦に対応するオン信号がモード遷移制御手段２に供給される。例えば操作部１は、各釦のオン／オフ状態を検出するためのＩ／Ｏポートを有し、モード遷移制御手段２がこのＩ／Ｏポートを読み込むことにより、各釦のオン／オフが検出される。
【００１３】
モード遷移制御手段２は、再生釦２１、記録釦２２、停止釦２３、又は静止画記録釦２４のオン信号を検出すると、それぞれ再生モード、録音モード、停止モード、および静止画記録モードの各モードへ移行する事を指示する制御信号を、表示制御部４、ＤＳＰ制御手段７、メモリ制御手段９、カメラ制御手段１１に出力する。
【００１４】
音声入力部５は、マイク２５、フィルタ２６及びアナログ／デジタル変換回路（以下、Ａ／Ｄ変換回路と呼ぶ）２７から構成されている。マイク２５は、音声をアナログ音声信号に変換し、フィルタ２６に供給する。フィルタ２６は、マイク２５から供給される音声信号から低音域や高音域の不要成分を除去し、必要な帯域の信号をＡ／Ｄ変換回路２７に供給する。Ａ／Ｄ変換回路２７は、フィルタ２６からの音声信号をデジタル音声信号に変換し、ＤＳＰ６に供給する。
【００１５】
表示制御部４は、モード遷移制御手段２の制御信号に基づいて表示部３に現在のモードに対応する画面表示を行わせたり、メモリ８の空き容量を表示する。ＤＳＰ制御手段７は、モード遷移制御手段２の制御信号に基づいてＤＳＰ６に再生指示、停止指示等の指示を行う。ＤＳＰ６は、ＤＳＰ制御手段７からの指示が例えば音声記録指示の場合、音声入力部５からのデジタル音声信号を圧縮符号化し音声データとしてメモリ８に供給する。メモリ８は、例えばフラッシュメモリのような不揮発性の半導体メモリとなっている。
【００１６】
メモリ制御手段９は、モード遷移制御手段２の制御信号に基づいて、メモリ８に再生指示、記録指示、停止指示等の指示を行う。メモリ制御手段９は、例えばメモリ８にＤＳＰ６からの音声データの書き込みを行わせたり、メモリ８に記憶した音声データの読出しを行わせたりする。メモリ８から読み出された音声データはＤＳＰ６に供給される。
【００１７】
ＤＳＰ６はＤＳＰ制御手段７から再生指示が行われた場合、メモリ８からの音声データや音楽データに対して伸長処理を行うことによりデジタル音声信号を作成して、音声出力部１０に供給する。
【００１８】
音声出力部１０は、デジタル／アナログ変換回路（以下、Ｄ／Ａ変換回路と呼ぶ）２８、フィルタ３０およびスピーカ２９から構成されている。Ｄ／Ａ変換回路２８は、ＤＳＰ６からのデジタル音声信号をアナログ音声信号に変換し、フィルタ３０に供給する。フィルタ３０はＤ／Ａ変換回路２８から供給されるアナログ信号から低音域や高音域の不要成分を除去し、必要な帯域の音声信号をスピーカ２９に供給し、その結果スピーカから音声が出力される。
【００１９】
カメラ制御手段１１は、モード遷移制御手段２の制御信号に基づいてカメラ部１４に記録指示を出力し、カメラ部１４はレンズ３３を介して得られた静止画データをメモリ８に記録する。カメラ部１４は、レンズ３３、ＣＭＯＳセンサー３２、メモリ３１、ＣＭＯＳセンサー＆メモリ制御手段３４、および静止画記録釦３５から構成されている。カメラ制御手段１１からの指示に応じて、レンズ３３から入射した光学信号はＣＭＯＳセンサー３２で電気信号に変換され、メモリ３１に一旦静止画データとして記録され、その後メモリ８に書き込まれる。メモリ３１は例えばＳＲＡＭにより構成される。
【００２０】
次に本実施形態における停止モード及びスタンバイモードについて説明する。本記録再生装置では操作部１の各釦が電源釦を兼ねており、何れかの釦が押下されて初めて全回路ブロックに電源が供給される。例えば、音声の記録又は再生中に停止釦２３が押されるか、あるいは静止画の記録が終了すると、装置各部の動作は停止するが、装置各部への電源電圧Ｖｃｃ１及びＶｃｃ２の供給は所定時間継続して行われる。このように電源電圧Ｖｃｃ１及びＶｃｃ２が各回路ブロックに供給され、装置各部の動作が停止している状態を停止モードと呼ぶ。
【００２１】
停止モードが所定時間継続すると、電源電圧Ｖｃｃ２の供給は停止され、装置はスタンバイモードとなる。本実施形態では、バッテリー１３が規定範囲内の電圧を電源回路１２に供給している限り、操作部１、モード遷移制御手段２、及びカメラ部１４には常に電源Ｖｃｃ１が供給されている。スタンバイモードとは、操作部１、モード遷移制御手段２及びカメラ部１４にのみ電源電圧Ｖｃｃ１が供給されている状態を示す。
【００２２】
このような発明の実施の形態の動作をフローチャートを参照して以下詳細に説明する。
【００２３】
先ず、モード遷移制御手段２の制御の下にスイッチ１５がオンされ、装置の全回路ブロックに電源が供給されている場合のメイン処理を説明する。図２はメイン処理を示すフローチャートである。モード遷移制御手段２はバッテリー１３の電源電圧を、電源回路１２を介してモニタする（ＳＴ１０１）。バッテリー１３の電源電圧が所定値より低い場合、モード遷移制御手段２は表示制御部４を介して表示部３にバッテリー電圧が低い旨の表示を行い、ユーザにバッテリ１３の交換あるいは充電を促す。
【００２４】
次にモード遷移制御手段２は操作部制御を行う（ＳＴ１０２）。つまりモード遷移制御手段２は操作部１の各釦２１、２２、２３、３４の何れか１つが押されているか判断する。音声モードに関する釦、すなわち再生釦２１、記録釦２２あるいは停止釦が押された場合（ＳＴ１０３でＹＥＳの場合）、フローはステップＳＴ１０４に移行する。
【００２５】
以下、音声モード遷移制御について説明する。
【００２６】
停止モードにおいて、ユーザにより再生釦２１が押下されると、モード制御手段２はそれを検出し、再生モードへの移行を示すコマンドをＤＳＰ制御手段７とメモリ制御手段９に出力する。ＤＳＰ制御手段７とメモリ制御手段９は、それぞれモード制御手段２からのコマンドを、ＤＳＰ６及びメモリ８が実行できるコマンドにデコードしてＤＳＰ６とメモリ８へ出力する。
【００２７】
メモリ制御手段９は、メモリ８に記録された音声データをメモリ８から読み出しＤＳＰ６に送る。ＤＳＰ６は圧縮符号化されている音声データを伸長する。伸長されたデジタル音声信号は、音声出力部１０のＤ／Ａ変換回路２８でアナログ音声信号に変換され、さらにフィルタ３０を介してスピーカ１１から出力される。
【００２８】
停止モードにおいて、ユーザにより記録釦２２が押下されると、モード制御手段２はそれを検出し、記録モードへの移行を示すコマンドをＤＳＰ制御手段７とメモリ制御手段９に出力する。ＤＳＰ制御手段７とメモリ制御手段９は、それぞれモード制御手段２からのコマンドを、ＤＳＰ６及びメモリ８が実行できるコマンドにデコードしてＤＳＰ６とメモリ８へ出力する。ＤＳＰ６は音声入力部５からのデジタル音声信号を圧縮符号化し、圧縮符号化された音声データがメモリ８に記録される。
【００２９】
次にカメラデータ制御について説明する。
【００３０】
操作部１において、音声モードに関する釦が押下されていない場合、（ステップＳＴ１０３でＮＯの場合）、フローはカメラデータ制御（ＳＴ１０５）に移行する。図３はカメラデータ制御を示すフローチャートである。
【００３１】
カメラ部１４が静止画データ転送中でない場合（ＳＴ２０１でＮＯの場合）、モード制御手段２は静止画記録釦２４がユーザにより押下されたか否か判断する。静止画記録釦２４が押された場合、モード遷移制御手段２は静止画記録モードへの移行を示すコマンドをメモリ制御手段９とカメラ制御手段１１に出力する。メモリ制御手段９とカメラ制御手段１１は、静止画記録指示をメモリ８とカメラ部１４へ出力する。このとき、例えばメモリ制御手段９は転送状態を示す状態フラグ（図示されず）を立てる。カメラ部１４はレンズ３３を介してＣＭＯＳセンサー３２によって検知された静止画のメモリ３１に対する記録を開始する（ＳＴ２０３）。メモリ３１に記録された静止画データは、その後メモリ８に記録される。このように、ＣＭＯＳセンサー３２により撮影された静止画は、ＳＲＡＭ等の高速動作メモリ３１に瞬時に記録された後、フラッシュメモリ等の低速動作メモリ８に記録される。これにより例えば連続撮影が可能となる。
【００３２】
カメラ部１４が静止画データ転送中の場合（ステップＳＴ２０１でＮＯの場合）、モード遷移制御手段２は操作部制御を行う（ＳＴ２０４）。尚、この操作部制御はステップＳＴ１０２と同様であるから、省略することもできる。次にモード遷移制御手段２は静止画データの転送が終了しているか否か上記状態フラグ等により判断し（ＳＴ２０４）、終了している場合は終了処理を行う（ＳＴ２０６）。例えば終了処理としてモード遷移制御手段２は、静止画転送が終了したことを示す画面を、表示制御部４を介して表示部３に表示する。
【００３３】
図２の説明に戻り、ステップＳＴ１０５のカメラデータ制御の次にモード遷移制御手段２は、停止釦２３が押されるか、音声あるいは静止画の記録再生が終了し、装置各部の動作が停止し、装置が停止モードとなり、その停止モードが所定時間継続しているか判断する（ＳＴ１０６）。停止モードが所定時間継続していない場合（ステップＳＴ１０６でＮＯの場合）、フローはステップＳＴ１０１に戻り、上記した処理を繰り返す。停止モードが所定時間継続した場合、モード遷移制御手段２はバッテリ１３の省エネのため、スイッチ１５をオフして電源Ｖｃｃ２の供給を停止し、装置はスタンバイモードへ移行する。
【００３４】
図４はスタンバイモードにおける処理を示すフローチャートである。スタンバイモードになると、モード遷移制御手段２のＣＰＵはＨＡＬＴ状態に設定され、その動作を実質的に停止する（ＳＴ３０１）。スタンバイモード中、操作部１の再生釦２１、記録釦２２、停止釦２３、又は静止画記録釦２４が押下されると（ＳＴ３０２）、割り込み処理等によりモード遷移制御手段２のＣＰＵにそれが検知され、モード遷移制御手段２は動作を再開する。このときモード遷移制御手段２は、操作部１のＩ／Ｏポートの状態（オン／オフの状態）を記録する。更にモード遷移制御手段２はスイッチ１５をオンして電源回路１２からの電源電圧を各回路ブロックへ供給する（ＳＴ３０３）。
【００３５】
このように、操作部１の何れかの釦が押下され、スタンバイモードが解除され、メイン処理に移行する場合、フローは押下された釦に対応する処理、つまりステップＳＴ１０４又はＳＴ１０５に直接移行する。
【００３６】
図５は本発明による第２の実施形態の構成を示すブロック図である。本実施形態では、スタンバイモードにおける電源Ｖｃｃ１が供給されるブロックは、操作部１及びモード遷移制御手段２のみとなっている。カメラ部１４にはスイッチ１５を介してＶｃｃ２が供給される。つまり、操作部１の何れかの釦が押下されると、モード遷移制御手段２はスイッチ１５をオンし、カメラ部１４を含む全回路ブロックに電源を供給する。
【００３７】
本実施形態の動作は上記第１の実施形態と同様であるが、カメラデータ処理のフローが異なっている。
【００３８】
図６は本実施形態に係るカメラデータ処理を示すフローチャートである。カメラ部１４のＣＭＯＳセンサー３２は、ＣＭＯＳセンサーに電源が投入された後に、ホワイトバランス等の初期化が必要となる。従って、スタンバイモード（電源電圧Ｖｃｃ１が操作部１及びモード遷移制御手段２にみに供給されている状態）の場合に静止画記録釦２４が押下されたとき、ステップＳＴ４０２〜ＳＴ４０４のように、電源電圧Ｖｃｃ２の投入後、カメラ部１４はＣＭＯＳセンサー＆メモリ制御手段３４により、ＣＭＯＳセンサーを初期化する。この初期化に要する時間は例えば数百ｍＳである。
【００３９】
図７は本発明の第３の実施形態の構成を示すブロック図である。本実施形態に係る記録再生装置では、カメラ部１４が別体構造となっている。カメラ部１４は記録再生装置本体１７に接続部１６によって接続されている。接続部１６はコネクターのみ、あるいはコネクター及びケーブルにより構成される。コネクター及びケーブルにより記録再生装置１７とカメラ部１４を接続した場合、カメラ部１４を本体１７から離れた位置に配置して使用できる。カメラ部１４には静止画記録釦３５が設けられている。従って、記録再生装置本体１７を例えば胸ポケット内に入れ、カメラ部１４を手のひらに持って静止画記録釦操作をするような使い方もできる。
【００４０】
本実施形態の動作は第１の実施形態と同様であるが、図２のメイン処理におけるステップＳＴ１０２及び図４のスタンバイ処理におけるステップＳＴ３０２では、操作部１の釦と共にカメラ部１４の静止画記録釦３５の押下が検知される。
【００４１】
ユーザが停止モード中又はスタンバイモード中にカメラ部１４上の静止画記録釦３５を押下すると、メモリ制御手段９とカメラ制御手段１１は、静止画記録指示をメモリ８とカメラ部１４へ出力し、カメラ部１４は静止画データをメモリ８に記録させる。従って本実施形態でも、スタンバイモードにおいてもカメラ部１４の静止画記録釦３５を押下することにより静止画を記録できる。
【００４２】
図８は本発明の第４の実施形態の構成を示すブロック図である。本実施形態に係る記録再生装置は第３の実施形態と同様に、カメラ部１４が別体構造となっており、カメラ部４には静止画記録釦３５が設けられている。
【００４３】
スタンバイモードにて電源Ｖｃｃ１が供給されるブロックは、操作部１、モード遷移制御手段２、及び静止画記録釦３５となっている。カメラ部１４の主要回路ブロック１８には、スイッチ１５を介してＶｃｃ２が供給される。つまり、スタンバイモードにて操作部１の何れかの釦又はカメラ部１４の静止画記録釦３５が押下されると、モード遷移制御手段２はスイッチ１５をオンし、カメラ部１４を含む全回路ブロックに電源を供給する。又、スタンバイモードにて静止画記録釦３５が押下されると、カメラ部１４は上記第２の実施形態と同様に、ＣＭＯＳセンサー３２を初期化してから静止画記録を開始する。従って本実施例の場合も、スタンバイモードにおいてもカメラ部１４の静止画記録釦３５を押下することにより静止画を記録できる。
【００４４】
このような発明の実施形態によれば、停止モード中に操作部１もしくはカメラ部１４の静止画記録釦３５が未操作の時間が一定時間続いて、バッテリ１３の省エネのためスタンバイモードになった場合、操作部１の静止画記録釦２４、またはカメラ部１４上の静止画記録釦３５が押されると、モード遷移制御手段２はスイッチ１５を制御して電源Ｖｃｃ２を各回路へ供給し、装置はスタンバイモードから停止モードになり、引き続いて静止画記録動作に入る制御を行うので、従来に比べて操作が簡単になり、シャッターチャンスを逃す機会を低下させることができる。
【００４５】
記録媒体のメモリ８は記録再生装置に固定した半導体メモリでも良く、着脱可能なメモリカードでも良い。また、音声及び静止画を記録する装置について説明したが、音声及び動画像を記録再生する装置であっても本発明は適用できる。
【００４６】
さらに、音声出力部１０は、スピーカ１１のほか、イヤホーンあるいはヘッドホーンによって、音声あるいは音楽を出力するようにしても良い。
【００４７】
【発明の効果】
以上説明したように本発明による記録再生装置は、バッテリー省エネのためのスタンバイモード中でも、静止画記録釦が押されると静止画記録を実行することができる。
【図面の簡単な説明】
【図１】本発明の一実施形態である記録再生装置の構成を示すブロック図である。
【図２】メイン処理を示すフローチャートである。
【図３】カメラデータ制御を示すフローチャートである。
【図４】スタンバイモードにおける処理を示すフローチャートである。
【図５】本発明による第２の実施形態の構成を示すブロック図である。
【図６】本実施形態に係るカメラデータ処理を示すフローチャートである。
【図７】本発明の第３の実施形態の構成を示すブロック図である。
【図８】本発明の第４の実施形態の構成を示すブロック図である。
【符号の説明】
１…操作部、２…モード遷移制御手段、３…表示部、４…表示制御部、５…音声入力部、６…ＤＳＰ、７…ＤＳＰ制御手段、８…メモリ、９…メモリ制御手段、１０…音声出力部、１１…カメラ制御手段、１２…電源回路、１３…バッテリ、１４…カメラ部、１５…スイッチ、２１…音声再生釦、２２…音声記録釦、２３…停止釦、２４…静止画記録釦、２５…マイク、２６…フィルタ、２７…Ａ／Ｄ変換回路、２８…Ｄ／Ａ変換回路、２９…スピーカ、３０…フィルタ、３２…ＣＭＯＳセンサー、３３…レンズ、３４…ＣＭＯＳセンサー＆メモリ制御手段、３５…静止画記録釦
【図１】
2004064324.tif 000003
【図２】
2004064324.tif 000004
【図３】
2004064324.tif 000005
【図４】
2004064324.tif 000006
【図５】
2004064324.tif 000007
【図６】
2004064324.tif 000008
【図７】
2004064324.tif 000009
【図８】
2004064324.tif 000010